(57)【要約】      （修正有）【課題】外筒の強度不足を解消する水栓柱を提供する。【解決手段】水栓柱は、外筒１１と、外筒内に収容された給水管１５と、給水管の一端と継手１６を介して連結され外筒の外表面に取り付けられた蛇口と、を備える。そして、外筒と給水管との間に、外筒の内表面に当接する筒状のコンクリート材１２を設ける。コンクリート材のさらに内側に断熱材１３を設けるのが好ましい。【選択図】図２
0003204438.tif 000002
【実用新案登録請求の範囲】
【請求項１】
外筒と、当該外筒内に収容された給水管と、当該給水管の一端と連結され前記外筒の外表面に取り付けられた蛇口と、を備えた水栓柱であって、
前記外筒内の当該外筒と前記給水管との間に、前記外筒の内表面に当接する筒状のコンクリート材を設けた、
水栓柱。
【請求項２】
請求項１に記載の水栓柱であって、
前記外筒内に設けられた前記筒状のコンクリート材の内径は、その内表面が前記給水管に当接しない大きさに形成されている、
水栓柱。
【請求項３】
請求項２に記載の水栓柱であって、
前記外筒内に設けられた前記筒状のコンクリート材のさらに内側の当該コンクリート材と前記給水管との間に、断熱材を設けた、
水栓柱。
【請求項４】
請求項１乃至３のいずれかに記載の水栓柱であって、
前記筒状のコンクリート材は、ポリエチレンテレフタレートを含有して構成されている、
水栓柱。
【請求項５】
請求項１乃至４のいずれかに記載の水栓柱であって、
前記給水管の他端が位置し、水栓柱自体の下端に連結され当該水栓柱自体を支持する基台を備えることで、水栓柱を持ち運び可能なよう構成されている、
水栓柱。
【請求項６】
請求項５に記載の水栓柱であって、
前記外筒の上端付近に、水栓柱自体を上方に持ち上げる際に把持する把持部を備えた、
水栓柱。
【請求項７】
請求項１乃至６のいずれかに記載の水栓柱であって、
水栓柱自体の上端付近に、照明具を搭載し、
水栓柱自体の上端面に、前記照明具に電力を供給するソーラーパネルを備えた、
水栓柱。
【考案の詳細な説明】
【技術分野】
【０００１】
本考案は、水栓柱にかかり、特に、屋外に配置される水栓柱に関する。
【背景技術】
【０００２】
屋外に配置される水栓柱は、所定箇所に固定装備されるものが一般的である。そして、水栓柱は、外筒と、当該外筒内に収容される給水管と、当該給水管の先端に連結し外筒の外側面に装着される蛇口と、を備えて構成されている。
【０００３】
そして、水栓柱の外筒は、例えば、特許文献１に開示されているように、薄板部材が筒状に形成されることで構成されている。そして、水栓柱の外筒の内部には、給水管との間の空間に、発泡ウレタンなどの断熱材が充填されている。
【先行技術文献】
【特許文献】
【０００４】
【特許文献１】特開２０１１−１３７３２７号公報
【考案の概要】
【考案が解決しようとする課題】
【０００５】
しかしながら、上述した水栓柱の外筒は、薄板部材で形成されていることから、その強度が低い、という問題が生じる。例えば、外部からの衝撃によって凹むなど変形したり、蛇口を取り付ける箇所の強度が不足して破壊するなどの不都合が生じうる。
【０００６】
このため、本考案の目的は、上述した課題である、水栓柱の外筒の強度が不足する、という問題を解決することにある。
【課題を解決するための手段】
【０００７】
本考案の一形態である水栓柱は、
外筒と、当該外筒内に収容された給水管と、当該給水管の一端と連結され前記外筒の外表面に取り付けられた蛇口と、を備えた水栓柱であって、
前記外筒内の当該外筒と前記給水管との間に、前記外筒の内表面に当接する筒状のコンクリート材を設けた、
という構成をとる。
【０００８】
そして、上記水栓柱では、
前記外筒内に設けられた前記筒状のコンクリート材の内径は、その内表面が前記給水管に当接しない大きさに形成されている、
という構成をとる。
【０００９】
また、上記水栓柱では、
前記外筒内に設けられた前記筒状のコンクリート材のさらに内側の当該コンクリート材と前記給水管との間に、断熱材を設けた、
という構成をとる。
【００１０】
また、上記水栓柱では、
前記筒状のコンクリート材は、ポリエチレンテレフタレートを含有して構成されている、
という構成をとる。
【００１１】
また、上記水栓柱では、
前記給水管の他端が位置し、水栓柱自体の下端に連結され当該水栓柱自体を支持する基台を備えることで、水栓柱を持ち運び可能なよう構成されている、
という構成をとる。
【００１２】
また、上記水栓柱では、
前記外筒の上端付近に、水栓柱自体を上方に持ち上げる際に把持する把持部を備えた、
という構成をとる。
【００１３】
また、上記水栓柱では、
水栓柱自体の上端付近に、照明具を搭載し、
水栓柱自体の上端面に、前記照明具に電力を供給するソーラーパネルを備えた、
という構成をとる。
【考案の効果】
【００１４】
本考案は、以上のように構成されるため、水栓柱の外筒の強度の向上を図ることができると共に、軽量な水栓柱を提供することができる。
【図面の簡単な説明】
【００１５】
【図１】本考案の実施形態１における水栓柱の構成を示す図である。
【図２】図１に開示した水栓柱の内部構造を示す図である。
【図３】本考案の実施形態２における水栓柱の構成を示す図である。
【図４】図３に開示した水栓柱の形態の変化を示す図である。
【考案を実施するための形態】
【００１６】
＜実施形態１＞
本考案の第１の実施形態を、図１乃至図２を参照して説明する。図１は、水栓柱の構成を示す図であり、図２は、その内部構造を示す図である。
【００１７】
本実施形態における水栓柱は、図１に示すように、円柱状の本体部１０を備えており、当該本体部１０の下端が地面Ｇに埋設されて固定されている。そして、本体部１０の内部には、給水管１５が収容されており、その下端（図示せず）が地面Ｇ内で水道管に連結し、給水される。また、水栓柱は、本体部１０の上方付近の表面に取り付けられた蛇口２０を備えており、給水管１５の上端（一端）と連結されている。
【００１８】
また、水栓柱は、本体部１０の上端付近に、ＬＥＤにて構成された照明具３０を備えている。そして、本体部１０の上端面には、ソーラーパネル３１が設置されており、照明具３０に電力を供給するよう構成されている。これにより、水栓柱は、照明器具としても機能する。
【００１９】
ここで、水栓柱の本体部１０の内部構造について、図２（Ａ），（Ｂ）を参照して説明する。図２（Ａ）は、本体部１０の垂直方向の断面図であり、図２（Ｂ）は、本体部１０の水平方向の断面図である。
【００２０】
図２に示すように、本体部１０は、外表面を形成する外筒１１と、その内部に配置された、コンクリート材１２と、断熱材１３と、給水管１５と、を備えている。つまり、本体部１０は、外表面側から内部の給水管１５に向かって、外筒１１、コンクリート材１２、断熱材１３の３層構造となっている。
【００２１】
上記外筒１１は、所定の厚みを有する円筒形状の部材である。そして、外筒１１の内部に配置された上記コンクリート材１２は、当該外筒１１と同様に、円筒形状である。コンクリート材１２は、その外径が外筒１１の内径とほぼ同一であり、コンクリート１２の外表面と外筒１１の内表面とが当接している。また、コンクリート材１２の内径は、給水管１５の外径よりも大きく形成されており、コンクリート材１２の内表面は給水管１５には当接していない。つまり、コンクリート材１２と給水管１５との間には、隙間が形成されており、かかる隙間に断熱材１３が充填されている。
【００２２】
上述した本体部１０の構造を換言すると、中心の給水管１５の周囲に、まず断熱材１３が配置され、その周囲にコンクリート材１２が配置され、さらにその周囲を外筒１１が覆っている。
【００２３】
ここで、上記外筒１１は、例えば、ポリ塩化ビニルで形成されている。また、コンクリート材１２は、例えば、ポリエチレンテレフタレートを含有した、いわゆるエココンクリートにて構成されており、一般的なコンクリートよりも軽量である。また、断熱材１３は、ウレタンにて形成されている。
【００２４】
また、給水管１５は、例えば、ポリ塩化ビニルで形成されており、蛇口２０と連結されるその上端には、例えば、ポリ塩化ビニルで形成されたＬ字型の継手１６が連結されている。この継手１６は、例えば、外筒１１内にコンクリート材１２を配置した状態で、当該外筒１１とコンクリート材１２に孔をあけて挿通させることで装備する。あるいは、外筒１１に孔をあけて継手１６や給水管１５を配置した状態で、コンクリート材１２を流し込んで円筒状に形成してもよい。なお、給水管１５の下端（図示せず）にも、Ｌ字型の継手が連結しており、外部から水道管が連結される。
【００２５】
本考案の水栓柱は、以上のように構成されることで、本体部１０の強度の向上を図ることができる。特に、本体部１０の外筒１１内の全部ではなく、外筒１１の内側の一部のみにコンクリート材１２を設けることで、軽量に構成しつつ、外筒１１自体の強度の向上を図ることができる。これにより、外筒１１の変形を抑制でき、また、外筒１１の表面に蛇口２０を安定して取り付けることができる。さらには、上述したように強度の向上により、外筒１１をポリ塩化ビニルで形成することができ、外表面の装飾が容易となり、デザイン性の向上も図ることができる。
【００２６】
なお、本実施形態では、水栓柱の本体部１０は円柱形状であることとして説明したが、円柱形状であることに限定されず、断面が他の形状の柱状体であってもよい。これに伴い、外筒１１、コンクリート材１２、断熱材１３も、円筒形状であることに限定されず、断面が他の形状の筒状体であってもよい。さらに、外筒１１は、ポリ塩化ビニルであることに限定されず、いかなる材料で形成されていてもよい。例えば、外筒１１は、アルミで形成されていてもよく、断面形状が四角形であってもよい。
【００２７】
＜実施形態２＞
次に、本考案の第２の実施形態を、図３乃至図４を参照して説明する。図３乃至図４は、水栓柱の構成を示す図である。
【００２８】
本実施形態における水栓柱は、本体部１０の下端に、当該本体部１０自体を支持する基台４０を備えている。基台４０は、例えば、コンクリート材で形成されており、本体部１０に連結している。また、基台４０には、給水管１５の下端部分（他端）が位置して埋設されており、当該給水管１５の端部が基台４０の側面から外部に突出している。この突出した給水管１５の端部に水道管からのホースなどが連結されることで、給水管１５に給水されることとなる。
【００２９】
また、水栓柱の本体部１０の上端付近には、略Ｕ字状の把持部５０が装備されている。この把持部５０は、両端が本体部１０に回転自在に連結されている。これにより、把持部５０を、図３に示す状態から矢印のように回転させて図４の状態にすることで、把持部５０の中央箇所が水栓柱の上方に位置する。かかる状態で、把持部５０の中央箇所を把持して水栓柱自体を上方に持ち上げることができ、当該水栓柱自体を持ち運びすることができる。
【００３０】
以上、上記実施形態等を参照して本願考案を説明したが、本願考案は、上述した実施形態に限定されるものではない。本願考案の構成や詳細には、本願考案の範囲内で当業者が理解しうる様々な変更をすることができる。
【符号の説明】
【００３１】
１０  本体部
１１  外筒
１２  コンクリート材
１３  断熱材
１５  給水管
１６  継手
２０  蛇口
３０  照明具
３１  ソーラーパネル
４０  基台
５０  把持部
【図１】
0003204438.tif 000003
【図２】
0003204438.tif 000004
【図３】
0003204438.tif 000005
【図４】
0003204438.tif 000006